(57)【特許請求の範囲】
【請求項１】
１つ又は複数の導光板と、１つ又は複数の光源と、器具本体と、反射部材とを備え、
前記器具本体は、底板と、前記底板の周囲に配置されている１つ又は複数の側板とを有し、前記底板と対向する前面が開放されており、
前記１つ又は複数の導光板は、前記１つ又は複数の側板に沿うように前記器具本体の内側に配置され、
前記１つ又は複数の光源は、前記１つ又は複数の導光板の端面と対向し、前記端面から前記導光板内に光を入射するように構成され、
前記反射部材は、前記底板と前記前面との間に配置されており、前記前面との対向面で前記１つ又は複数の導光板から出射される光を前記前面に向けて反射するように構成されており、
前記１つ又は複数の導光板は、前記器具本体の前面と対向する端面を、前記器具本体の側板から離れるに連れて、前記器具本体の前面から離れる向きに傾斜する傾斜面とするように構成されていることを特徴とする照明器具。
【請求項２】
前記１つ又は複数の側板及び前記１つ又は複数の導光板はそれぞれ、前記底板の周囲を全周に渡って囲むように構成されていることを特徴とする請求項１記載の照明器具。
【請求項３】
前記底板が矩形板状に形成されていることを特徴とする請求項１又は２記載の照明器具。
【請求項４】
前記１つ又は複数の導光板は、前記１つ又は複数の側板の内側面とそれぞれ接するように配置されていることを特徴とする請求項１〜３のいずれか１項に記載の照明器具。
【請求項５】
前記１つ又は複数の側板のそれぞれの前記内側面は、前記光を反射する反射面であることを特徴とする請求項４記載の照明器具。
【請求項６】
前記底板及び前記反射部材がそれぞれ長尺の矩形板状に形成され、前記複数の側板がそれぞれ前記底板の短手方向の両端に配置されており、
前記複数の導光板がそれぞれ前記底板の短手方向の両端に配置されていることを特徴とする請求項１記載の照明器具。
【請求項７】
前記反射部材の前記対向面の少なくとも一部が立体形状に形成されていることを特徴とする請求項１〜６のいずれか１項に記載の照明器具。
【請求項８】
合成樹脂材料によって長尺の矩形板状に形成された前記導光板と、前記導光板の第１端部を前記導光板の厚み方向から挟んで支持する一対の支持部材と、前記一対の支持部材のそれぞれを前記導光板と連結する複数の連結具とを備え、
複数の前記連結具は、前記導光板を厚み方向に貫通する複数の孔と、前記一対の支持部材のそれぞれを厚み方向に貫通する複数の挿通孔とにそれぞれ挿通され、かつ、前記複数の孔及び前記複数の挿通孔のそれぞれに対して抜け止めされ、
前記複数の挿通孔のうち、前記一対の支持部材の長手方向の両端に近い場所に配置されている少なくとも２つの前記挿通孔は、長軸方向が前記一対の支持部材の長手方向と平行する長円形状に形成されていることを特徴とする請求項１〜７のいずれか１項に記載の照明器具。
【発明の詳細な説明】
【技術分野】
【０００１】
本発明は、照明器具に関し、より詳細には、導光板を備えた照明器具に関する。
【背景技術】
【０００２】
従来、導光板を備えた照明器具が提供されている。例えば、特許文献１記載の照明器具（照明装置）は、天井に取り付けられる取付部材と、取付部材に取り付けられる光源部本体とを備えている。光源部本体は、導光板、発光素子、反射シートなどを備えている。導光板は、アクリル樹脂等の透光性を有する合成樹脂材料によって矩形の平板状に形成されている。反射シートは、導光板の上面に配置される。発光素子は、発光ダイオードからなり、導光板の周囲に配置される。つまり、特許文献１記載の照明器具は、発光素子から放射される光（光束）を導光板の周端面から入射させ、導光板全体を発光させるように構成されている。
【先行技術文献】
【特許文献】
【０００３】
【特許文献１】特開２０１３−１３４９５３号公報
【発明の概要】
【発明が解決しようとする課題】
【０００４】
ところで、特許文献１記載の照明器具は、導光板から放射される光を照明空間に直接照射するように構成されている。つまり、照明器具の発光面の大きさ及び形状が導光板の大きさ及び形状で決まってしまう。そのため、特許文献１記載の照明器具は、発光面の大きさ及び形状の設計の自由度を高めることが困難である。
【０００５】
本発明の目的は、発光面の大きさ及び形状の設計の自由度を高めることができる照明器具を提供することである。
【課題を解決するための手段】
【０００６】
本発明の一態様に係る照明器具は、１つ又は複数の導光板と、１つ又は複数の光源と、器具本体と、反射部材とを備えている。前記器具本体は、底板と、前記底板の周囲に配置されている１つ又は複数の側板とを有している。前記器具本体は、前記底板と対向する前面が開放されている。前記１つ又は複数の導光板は、前記１つ又は複数の側板に沿うように前記器具本体の内側に配置されている。前記１つ又は複数の光源は、前記１つ又は複数の導光板の端面と対向し、前記端面から前記導光板内に光を入射するように構成されている。前記反射部材は、前記底板と前記前面との間に配置されており、前記前面との対向面で前記１つ又は複数の導光板から出射される光を前記前面に向けて反射するように構成されている。前記１つ又は複数の導光板は、前記器具本体の前面と対向する端面を、前記器具本体の側板から離れるに連れて、前記器具本体の前面から離れる向きに傾斜する傾斜面とするように構成されている。
【発明の効果】
【０００７】
本発明の一態様に係る照明器具は、発光面の大きさ及び形状の設計の自由度を高めることができるという効果がある。
【図面の簡単な説明】
【０００８】
【図１】図１は、本発明の実施形態１に係る照明器具の分解斜視図である。
【図２】図２は、同上の照明器具の一部分の一部が破断された断面図である。
【図３】図３Ａは、同上の照明器具の正面図である。図３Ｂは、同上の照明器具の左側面図である。図３Ｃは、同上の照明器具の平面図である。
【図４】図４は、同上の照明器具の断面図である。
【図５】図５は、同上の照明器具における光源ユニットの分解斜視図である。
【図６】図６は、同上の照明器具の斜視図である。
【図７】図７は、同上の照明器具の変形例の斜視図である。
【図８】図８は、本発明の実施形態２に係る照明器具の斜視図である。
【図９】図９Ａは、同上の照明器具の正面図である。図９Ｂは、同上の照明器具の下面図である。図９Ｃは同上の照明器具の左側面図である。図９Ｄは、同上の照明器具の平面図である。
【図１０】図１０は、同上の照明器具の断面図である。
【発明を実施するための形態】
【０００９】
以下、本発明の実施形態に係る照明器具について、図面を参照して詳細に説明する。なお、以下の実施形態に係る照明器具は、天井に設けられる埋込孔に埋め込まれるようにして天井に配置される、埋込型の照明器具である。ただし、実施形態に係る照明器具は天井埋込型の照明器具に限定されず、例えば、天井に直付けされる直付け型の照明器具、あるいは、壁に取り付けられる照明器具などであってもよい。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１０】
（実施形態１）
本発明の実施形態１に係る照明器具１Ｘ（以下、照明器具１Ｘと略す）は、図１〜図３に示すように、複数（図示例では４つ）の導光板５と、複数の発光ダイオード（ＬＥＤ）３００と、器具本体２と、反射部材４とを備えている。照明器具１Ｘはさらに、４つの光源ユニット３と、電源ユニット６とを備えることが好ましい。ただし、以下の説明では、特に断りのない限り、図１において、照明器具１Ｘの上下、左右及び前後の各方向を規定する。
【００１１】
器具本体２は、図１に示すように、底板２０と、４つの側板２１とで矩形の箱形に形成されることが好ましい。底板２０は、鋼板などの金属板によって矩形（例えば、正方形）に形成されている。４つの側板２１はそれぞれ、主部２１０と、連結部２１１と、外鍔部２１２とを有している（図１及び図２参照）。主部２１０は、長尺の矩形板状に形成されている。連結部２１１は、長尺の矩形板状であって、下端部分がほぼ直角に曲げ起こされてＬ字状に形成されている（図２参照）。連結部２１１の下端と主部２１０の上端とが連結されている。外鍔部２１２は、長尺の矩形板状に形成されている。外鍔部２１２は、主部２１０の下端から外向き（底板２０から離れる向き）に突出している。外鍔部２１２の先端部分が上向きに曲げ起こされている（図２参照）。なお、主部２１０、連結部２１１及び外鍔部２１２は、鋼板などの金属板が曲げ加工されることで一体に形成されることが好ましい。また、底板２０と４つの側板２１のうちの少なくとも１つの側板２１とは、鋼板などの金属板が曲げ加工されることで一体に形成されることが好ましい。ただし、底板２０と別体に形成される側板２１は、溶接などの適宜の方法で底板２０及び他の側板２１と連結（接合）されることが好ましい。
【００１２】
底板２０は、前後方向の中央に、２つの電線挿通孔２４と、１つの引掛孔２５とが設けられている（図１及び図３Ｃ参照）。引掛孔２５は、前後方向を長手方向とする長尺の角孔であり、底板２０を上下方向に貫通するように形成されている。１つの電線挿通孔２４は、底板２０の左端に設けられている。残り１つの電線挿通孔２４は、底板２０の左右方向の中央近くに設けられている。２つの電線挿通孔２４は、底板２０を上下方向に貫通する丸孔であり、電線を保護するためにグロメットが嵌め込まれることが好ましい。中央寄りの電線挿通孔２４に電灯線（電力系統からの給電用の電線）が挿通される。左端の電線挿通孔２４に信号線（調光信号の伝送媒体となる電線）が挿通される。ここで、底板２０の下面における２つの電線挿通孔２４の近くに、第１端子台１０及び第２端子台１１が取り付けられている（図１参照）。第１端子台１０は、中央寄りの電線挿通孔２４に挿通される電灯線と電気的に接続される。第２端子台１１は、左端の電線挿通孔２４に挿通される信号線と電気的に接続される。さらに、底板２０は、左右方向の中央に、４つの取付孔２３が設けられている（図３Ｃ参照）。これら４つの取付孔２３は、底板２０を貫通する丸孔である。また、底板２０の下面における左前方の隅及び左後方の隅に、２つの引掛ばね１２がそれぞれ１つずつ取り付けられている。これら２つの引掛ばね１２は、ばね性を有する帯状の板材によって、略Ω形状に形成されることが好ましい（図１及び図４参照）。
【００１３】
器具本体２は、２つの補強板２２を有することが好ましい。２つの補強板２２はそれぞれ、鋼板などの金属板により、長尺の角樋状に形成されている。２つの補強板２２は、長手方向を左右方向に平行させた状態で、底板２０の下面において２つの電線挿通孔２４を挟んで隣り合う位置にねじ止めされる（図１及び図４参照）。２つの補強板２２は、底板２０の４つの取付孔２３と上下方向に重なる位置に、４つの長孔２２０がそれぞれ設けられている。これら４つの長孔２２０は、長軸を前後方向と平行させ、かつ、底板２０を上下方向に貫通するように形成されている（図１及び図３Ｃ参照）。
【００１４】
反射部材４は、反射板４０、４つの反射側板４１、２つの引掛具４２及び１つの取付ばね４３などを有することが好ましい（図１〜図４参照）。反射板４０は、鋼板などの金属板によって、器具本体２の底板２０に相似した形状（正方形）に形成されている。ただし、反射板４０の縦横（前後左右）の長さは、器具本体２の内側の縦横の長さよりも僅かに（例えば、十数ミリメートル〜数十ミリメートルほど）短い（図２参照）。４つの反射側板４１は、反射板４０の４つの辺からそれぞれ上向きに曲げ起こされて、反射板４０と一体に形成されていることが好ましい（図１及び図４参照）。
【００１５】
２つの引掛具４２は、図４に示すように、菱形の板状に形成されている。２つの引掛具４２は、反射板４０の上面における左前方の隅及び左後方の隅に、左側の反射側板４１と平行して起立するように設けられている（図４参照）。取付ばね４３は、ねじりコイルばねからなる。取付ばね４３のコイル部が、反射板４０の上面における右端の前後方向の中央に取り付けられる（図３Ｃ参照）。
【００１６】
４つの光源ユニット３はそれぞれ同一の構成を有している。ゆえに、以下では、図２及び図５を参照して１つの光源ユニット３の構成のみを説明する。光源ユニット３は、ＬＥＤモジュール３０、第１支持部材３１、第２支持部材３２、第１反射シート３３、第２反射シート３４、弾性シート３５、複数本の固定ピン（連結具）３６、複数本の結合ねじ３７及び複数本の固定ねじ３８などを有している。
【００１７】
ＬＥＤモジュール３０は、光源である複数個（図示例では６０個）のＬＥＤ（発光ダイオード）３００、これら複数個のＬＥＤ３００が実装されている基板３０１、２つのコネクタ３０２などを有している（図５参照）。基板３０１は、長尺の矩形板状に形成されている。複数個のＬＥＤ３００は、基板３０１の下面における短手方向の第１端側に、長手方向に沿ってほぼ等間隔かつ直線上に並ぶように実装されている。また、２つのコネクタ３０２は、基板３０１の下面における長手方向の両端近くにそれぞれ実装されている。なお、これら２つのコネクタ３０２は、基板３０１の下面に形成されている導体（プリント配線）を介して、複数個のＬＥＤ３００と電気的に接続されている。なお、基板３０１は、短手方向の第２端側における長手方向の両端近く及び中央に、３つのねじ挿通孔３０３が設けられている。
【００１８】
第１支持部材３１は、天板３１０と、第１結合片３１１と、第１支持片３１２と、第１連結片３１３とを有することが好ましい。天板３１０は、長尺の平板状に形成されている。天板３１０の長手方向の両端及び中央に、それぞれ３つの第１ねじ孔３１６及び３つのボルト挿通孔が設けられている。第１結合片３１１は、長尺の矩形板状に形成されている。第１結合片３１１の長手方向の両端及び中央に、それぞれ３つの雌ねじ部３１４が設けられている。第１結合片３１１は、天板３１０の長手方向に沿った第１端から下向きに突出している。第１支持片３１２は、長尺の矩形板状に形成されている。第１支持片３１２の長手方向の両端及び中央に、それぞれ３つの第１ピン挿通孔３１５が設けられている。これら３つの第１ピン挿通孔３１５は長孔状に形成されている。ただし、第１支持片３１２の長手方向の両端に設けられている２つの第１ピン挿通孔３１５は、第１支持片３１２の長手方向に対して長軸の方向が平行している。一方、第１支持片３１２の長手方向の中央に設けられている１つの第１ピン挿通孔３１５は、第１支持片３１２の短手方向（上下方向）に対して長軸の方向が平行している（図５参照）。第１連結片３１３は、長尺の矩形板状であって、下端部分がほぼ直角に曲げ起こされてＬ字状に形成されている（図２参照）。第１連結片３１３の上端に天板３１０の長手方向に沿った第２端が連結され、第１連結片３１３の下端に第１支持片３１２の上端が連結されている。なお、天板３１０、第１結合片３１１、第１支持片３１２及び第１連結片３１３は、金属板が加工されることで一体に形成されることが好ましい（図５参照）。
【００１９】
第２支持部材３２は、底壁３２０と、第２結合片３２１と、第２支持片３２２と、補強片３２３とを有することが好ましい。底壁３２０は、長尺の平板状に形成されている。第２結合片３２１は、長尺の矩形板状に形成されている。なお、底壁３２０は、３つの窓孔３２６が底壁３２０の長手方向に沿って直線上に並ぶように設けられている。これら３つの窓孔３２６はそれぞれ、底壁３２０を厚み方向に貫通して矩形に形成されている。第２結合片３２１の長手方向の両端及び中央に、それぞれ３つのねじ挿通孔３２４が設けられている。第２結合片３２１は、底壁３２０の長手方向に沿った第１端から上向きに突出している。第２支持片３２２は、長尺の矩形板状に形成されている。第２支持片３２２の長手方向の両端及び中央に、それぞれ３つの第２ピン挿通孔３２５が設けられている。これら３つの第２ピン挿通孔３２５は長孔状に形成されている。ただし、第２支持片３２２の長手方向の両端に設けられている２つの第２ピン挿通孔３２５は、第２支持片３２２の長手方向に対して長軸の方向が平行している（図５参照）。一方、第２支持片３２２の長手方向の中央に設けられている１つの第２ピン挿通孔３２５は、第２支持片３２２の短手方向（上下方向）に対して長軸の方向が平行している（図２参照）。補強片３２３は、長尺の矩形板状に形成されている。補強片３２３は、第２支持片３２２の上端から底壁３２０に平行して突出している。
【００２０】
第１反射シート３３は、例えば、ポリエチレンテレフタレートなどの合成樹脂製のシート材が白色に着色されることで表面が反射面（拡散面）となるように形成されている。また、第１反射シート３３は、第１底部３３０と、第１側部３３１と、第１固定部３３２とを有することが好ましい。第１底部３３０は、長尺の矩形板状に形成されている。第１側部３３１は、第１底部３３０の長手方向に沿った第１端から下向きに突出している。第１固定部３３２は、第１底部３３０の長手方向に沿った第２端から下向きに突出している。第１固定部３３２の長手方向の両端及び中央に、それぞれ３つの第１ピン孔３３３が設けられている。これら３つの第１ピン孔３３３は長孔状に形成されている。ただし、第１固定部３３２の長手方向の両端に設けられている２つの第１ピン孔３３３は、第１固定部３３２の長手方向に対して長軸の方向が平行している（図５参照）。一方、第１固定部３３２の長手方向の中央に設けられている１つの第１ピン孔３３３は、第１固定部３３２の短手方向（上下方向）に対して長軸の方向が平行している（図５参照）。
【００２１】
第２反射シート３４は、第１反射シート３３と同様に、ポリエチレンテレフタレートなどの合成樹脂製のシート材が白色に着色されることで表面が反射面（拡散面）となるように形成されている。また、第２反射シート３４は、第２底部３４０と、第２固定部３４１とを有することが好ましい。第２底部３４０及び第２固定部３４１はそれぞれ、長尺の矩形板状に形成されている。第２固定部３４１は、第２底部３４０の長手方向に沿った第１端から下向きに突出している。第２固定部３４１の長手方向の両端及び中央に、それぞれ３つの第２ピン孔３４２が設けられている。これら３つの第２ピン孔３４２は長孔状に形成されている。ただし、第２固定部３４１の長手方向の両端に設けられている２つの第２ピン孔３４２は、第２固定部３４１の長手方向に対して長軸の方向が平行している。一方、第２固定部３４１の長手方向の中央に設けられている１つの第２ピン孔３４２は、第２固定部３４１の短手方向（上下方向）に対して長軸の方向が平行している（図５参照）。
【００２２】
弾性シート３５は、例えば、シリコーンゴムなどの弾性を有する材料によって、長尺の矩形板状に形成されている。
【００２３】
固定ピン３６は、円柱状のピン本体３６０と、ピン本体３６０の軸方向（長手方向）の中央に設けられる円板状のフランジ３６１とを有することが好ましい（図２参照）。ただし、ピン本体３６０の直径は、第１支持部材３１の第１ピン挿通孔３１５、第２支持部材３２の第２ピン挿通孔３２５、第１反射シート３３の第１ピン孔３３３及び第２反射シート３４の第２ピン孔３４２のそれぞれの短軸の径よりも僅かに小さい。なお、以下の説明では、フランジ３６１の表面側に突出するピン本体３６０を第１ピン本体と呼び、フランジ３６１の裏面側に突出するピン本体３６０を第２ピン本体と呼ぶ場合がある。
【００２４】
導光板５は、図２及び図５に示すように、アクリル樹脂やポリカーボネート樹脂などの透光性を有する合成樹脂材料によって、長尺の矩形板状に形成されることが好ましい。導光板５は、上部の長手方向の中央と両端近くの３箇所に円形の挿通孔５０がそれぞれ設けられている。これら３つの挿通孔５０は、導光板５を厚み方向に貫通している。なお、導光板５は、厚み方向に対向する両面（第１表面及び第２表面）のうち、少なくとも反射部材４と対向する側の表面（第１表面）に細かな凹凸が形成されることが好ましい。また、導光板５の下端面は、第２支持部材３２に近付く向きに傾斜する傾斜面であることが好ましい（図２及び図５参照）。
【００２５】
光源ユニット３は、以下のような手順で組み立てられることが好ましい。まず、第１支持部材３１の天板３１０の下面に第１反射シート３３の第１底部３３０が重ねられ、第１底部３３０の下面にＬＥＤモジュール３０が重ねられる。そして、ＬＥＤモジュール３０の基板３０１の３つのねじ挿通孔３０３と、第１反射シート３３の第１底部３３０に設けられた３つの孔にそれぞれ３本の固定ねじ３８が挿通される。そして、これら３本の固定ねじ３８が、第１支持部材３１の天板３１０の３つの第１ねじ孔３１６にねじ込まれる。その結果、ＬＥＤモジュール３０及び第１反射シート３３が第１支持部材３１の天板３１０に固定される（図２参照）。
【００２６】
続いて、３本の固定ピン３６のピン本体３６０（第１ピン本体）が、第２反射シート３４の３つの第２ピン孔３４２、導光板５の３つの挿通孔５０、第１反射シート３３の３つの第１ピン孔３３３、第１支持部材３１の３つの第１ピン挿通孔３１５に、それぞれ順番に挿通される。そして、３本の固定ピン３６のピン本体３６０（第２ピン本体）が、第２支持部材３２の第２ピン挿通孔３２５に挿通される（図２参照）。さらに、第２支持部材３２の第２結合片３２１が第１支持部材３１の第１結合片３１１と重ねられ、第２結合片３２１のねじ挿通孔３２４に挿通される結合ねじ３７が、第１結合片３１１の雌ねじ部３１４にねじ込まれる。ただし、第２結合片３２１と第２反射シート３４の第２固定部３４１との間に弾性シート３５が挟み込まれる（図２参照）。その結果、第１支持部材３１の第１結合片３１１と第２支持部材３２の第２結合片３２１とが３本の結合ねじ３７で結合される。さらに、第１支持部材３１（の第１支持片３１２）と第２支持部材３２（の第２支持片３２２）とが、導光板５を挟んで３本の固定ピン３６で連結される。その結果、導光板５は、３本の固定ピン３６を介して、第１支持部材３１の第１支持片３１２と第２支持部材３２の第２支持片３２２に厚み方向から挟まれて支持される（図２参照）。ここで、導光板５の上面は、第１支持部材３１の天板３１０に取り付けられているＬＥＤモジュール３０の複数個のＬＥＤ３００のそれぞれと上下方向に対向している（図２参照）。
【００２７】
上述のようにして組み立てられた４つの光源ユニット３は、以下のような手順で器具本体２にそれぞれ取り付けられる。まず、１つの光源ユニット３の第１支持部材３１の天板３１０が、器具本体２の底板２０の下面における１つの周縁部分に重ねられる。そして、第２支持部材３２の底壁３２０の３つの窓孔３２６を通して、３本のボルト１３が、第１支持部材３１の天板３１０に設けられている３つのボルト挿通孔と、器具本体２の底板２０に設けられている３つの孔にそれぞれ挿通される。そして、底板２０の上面側に突出した３本のボルト１３に、３つのナット１４がそれぞれ締め付けられる（図２及び図４参照）。その結果、１つの光源ユニット３が器具本体２（の底板２０）の周縁部分に取り付けられる。なお、残り３つの光源ユニット３も同様にして器具本体２（の底板２０）の周縁部分に取り付けられる。このとき、４つの導光板５はそれぞれ、器具本体２の４つの側板２１（の主部２１０）の内側面（底板２０に臨む側面）とほぼ全面に渡って接触することが好ましい（図２参照）。
【００２８】
続いて、照明器具１Ｘの施工手順を説明する。まず、４つの光源ユニット３が取り付けられた器具本体２が、天井仕上げ材に設けられている埋込孔に埋め込まれる。このとき、建物の躯体に下向きに埋め込まれている複数本の吊りボルトが、器具本体２の底板２０の複数の取付孔２３及び２つの補強板２２の複数の長孔２２０にそれぞれ挿通される。そして、複数の取付孔２３及び複数の長孔２２０にそれぞれ挿通された複数本の吊りボルトにナットが締め付けられることにより、器具本体２が複数本の吊りボルトに取り付けられる。このとき、器具本体２の４つの側板２１のそれぞれの外鍔部２１２により、４つの側板２１と埋込孔との隙間が目隠しされる。
【００２９】
次に、取付ばね４３の一対の腕部のそれぞれの先端部分に設けられている引掛部が、器具本体２の底板２０の引掛孔２５の周縁に引っ掛けられる。その結果、反射部材４は、取付ばね４３により、底板２０に吊り下げられた状態で器具本体２に仮保持される。このように反射部材４が器具本体２に仮保持された状態で、底板２０の２つの電線挿通孔２４からそれぞれ引き込まれる電灯線及び信号線が、第１端子台１０と第２端子台１１にそれぞれ電気的に接続される。
【００３０】
最後に、反射部材４が押し上げられて器具本体２内（底板２０と４つの側板２１に囲まれた空間）に収容される。すると、取付ばね４３の一対の腕部が引掛孔２５に挿入されながら外向きに広がり、一対の腕部のそれぞれの根元部分（コイル部に近い部分）が底板２０の引掛孔２５の周縁に引っ掛けられる。さらに、２つの引掛具４２がそれぞれ、器具本体２の底板２０に取り付けられている２つの引掛ばね１２に引っ掛けられる（図４参照）。その結果、反射部材４は、器具本体２内に収容された状態で、取付ばね４３と２つの引掛ばね１２のばね力によって器具本体２に支持される（図３Ａ及び図６参照）。照明器具１Ｘは、上述のようにして、天井仕上げ材の埋込孔に埋め込まれた状態で施工される。
【００３１】
ここで、照明器具１Ｘは、電源ユニット６から給電させることによって４つの光源ユニット３をそれぞれ点灯する。４つの光源ユニット３（の複数個のＬＥＤ３００）から放射される光は、導光板５の入射面（上面）から導光板５内に入射し、導光板５内を導光されながら導光板５の内側面及び下面から出射する。このとき、導光板５の第１表面から出射する光は、導光板５の第１表面に形成されている細かな凹凸によって拡散される。導光板５の第１表面から出射され、かつ、拡散された光の一部は、器具本体２内に向かって進行する。そして、器具本体２内に向かって進行した光は、器具本体２内に配置されている反射部材４の反射板４０（の下面）で反射され、反射板４０の下方に照射される。
【００３２】
つまり、照明器具１Ｘは、器具本体２の底板２０と、器具本体２の下面（開放されている面）との間に配置された反射部材４を有し、反射部材４（の反射板４０）の下面で４つの導光板５から出射される光を下方に向けて反射するように構成されている。その結果、照明器具１Ｘは、反射部材４の反射板４０（の下面）が発光面となるから、発光面の大きさ及び形状（反射部材４の反射板４０の大きさ及び形状）の設計の自由度を高めることができる。なお、反射板４０の形状は正方形に限定されず、例えば、三角形や五角形などの多角形でもよいし、円形や楕円形などでもよい。
【００３３】
ここで、照明器具１Ｘは、器具本体２を構成している４つの側板２１と、４つの導光板５とが底板２０の周囲を全周に渡って囲むように構成されることが好ましい（図３Ａ参照）。つまり、照明器具１Ｘは、４つの導光板５から出射する光を反射部材４（の反射板４０）の全体でほぼ均等に反射させるので、発光面（反射板４０の下面）の均斉度の向上を図ることができる。
【００３４】
さらに、照明器具１Ｘは、底板２０が矩形板状に形成されていることが好ましい。つまり、照明器具１Ｘの器具本体２が矩形の箱形に形成されていることが好ましい。器具本体２が矩形の箱形に形成されれば、複数の照明器具１Ｘを隙間無く並べて施工する（天井に埋込配置する）ことができる。ただし、照明器具１Ｘは、底板２０が三角形状、あるいは正多角形状に形成されてもよい。
【００３５】
また、照明器具１Ｘは、器具本体２の４つの側板２１の内側面に４つの導光板５（の第２表面）がそれぞれ接するように、４つの導光板５をそれぞれ配置している（図２参照）。したがって、４つの導光板５内を導光される光が、側板２１の内側面と導光板５との隙間に進行することを抑えることができる。なお、導光板５から出射した光が導光板５と側板２１の間の隙間に進行した場合、発光面の輝度の低下を招いてしまう。したがって、導光板５（の第２表面）と接する側板２１の内側面は、例えば、白色の塗料が塗布されることで反射率が高められた反射面であることが好ましい。このように導光板５と接する側板２１の内側面が反射面とされれば、導光板５内を導光される光が、側板２１の内側面と導光板５との隙間に進行することを更に抑えることができる。
【００３６】
さらに、照明器具１Ｘは、導光板５の下端面を、第２支持部材３２に近付く向きに傾斜する傾斜面としているので（図２参照）、導光板５の下端面から出射する光を器具本体２の直下に向けて出射させることができる。
【００３７】
ここで、導光板５は、アクリル樹脂などの合成樹脂材料により、長尺の板状に形成されている。一方、導光板５を支持する第１支持部材３１及び第２支持部材３２はそれぞれ、鋼板などの金属材料で形成されている。導光板５、第１支持部材３１及び第２支持部材３２は、点灯中の光源ユニット３が発する熱を受けて膨張する。しかしながら、合成樹脂成形体からなる導光板５は、金属製の第１支持部材３１及び第２支持部材３２に比較して熱膨張率（線膨張率）が２桁ほど大きい。そのため、導光板５が熱膨張で伸縮する量（長さ）は、第１支持部材３１及び第２支持部材３２が熱膨張で伸縮する量（長さ）よりも大きくなる。そこで、照明器具１Ｘでは、第１支持部材３１及び第２支持部材３２の長手方向の両端の第１ピン挿通孔３１５及び第２ピン挿通孔３２５が、長手方向に平行な長軸を有する長円形に形成されている（図５参照）。したがって、照明器具１Ｘは、導光板５の伸縮量が第１支持部材３１及び第２支持部材３２の伸縮量よりも大きい場合であっても、第１支持部材３１及び第２支持部材３２から固定ピン３６を介して導光板５に加わる応力の低減を図ることができる。なお、照明器具１Ｘでは、第１支持部材３１及び第２支持部材３２の長手方向の中央の第１ピン挿通孔３１５及び第２ピン挿通孔３２５が、短手方向（上下方向）に平行な長軸を有する長円形に形成されている。したがって、導光板５、第１支持部材３１及び第２支持部材３２は、中央の第１ピン挿通孔３１５及び第２ピン挿通孔３２５に挿通されている固定ピン３６を支点として長手方向に伸縮する。なお、導光板５、第１支持部材３１及び第２支持部材３２は、両端の２つの第１ピン挿通孔３１５及び第２ピン挿通孔３２５にそれぞれ挿通されている２つの固定ピン３６を支点として短手方向に伸縮する。
【００３８】
ところで、照明器具１Ｘの発光面である反射板４０の下面の形状は、平面に限定されない。すなわち、反射板４０の少なくとも一部が立体形状、例えば、図７に示すような角錐形状に形成されていてもよい。ただし、反射板４０の形状は、角錐以外の立体形状、例えば、半球形状や円錐形状、あるいは角錐台形状や円錐台形状などであってよい。つまり、反射板４０は、４つの導光板５のそれぞれと一対一に対向する４つの反射面を有していてもよい。反射部材４が上述のように構成されれば、反射板４０の立体形状に応じて、照明器具１Ｘの配光特性の設計の自由度を高めることができる。
【００３９】
照明器具１Ｘは上述のように、１つ又は複数の導光板５と、１つ又は複数の光源（ＬＥＤ３００）と、器具本体２と、反射部材４とを備えている。器具本体２は、底板２０と、底板２０の周囲に配置されている１つ又は複数の側板２１とを有している。器具本体２は、底板２０と対向する前面（下面）が開放されている。１つ又は複数の導光板５は、１つ又は複数の側板２１に沿うように器具本体２の内側に配置されている。１つ又は複数の光源（ＬＥＤ３００）は、１つ又は複数の導光板５の端面（上面）と対向し、端面（上面）から導光板５内に光を入射するように構成されている。反射部材４は、（器具本体２の）底板２０と、（器具本体２の）前面（下面）との間に配置されている。反射部材４は、（器具本体２の）前面（下面）との対向面（下面）で１つ又は複数の導光板５から出射される光を（器具本体２の）前面（下面）に向けて反射するように構成されている。
【００４０】
照明器具１Ｘが上述のように構成されれば、反射部材４の対向面（下面）が発光面となるから、発光面の大きさ及び形状（反射部材４の大きさ及び形状）の設計の自由度を高めることができる。
【００４１】
また、照明器具１Ｘにおいて、１つ又は複数の側板２１及び１つ又は複数の導光板５はそれぞれ、底板２０の周囲を全周に渡って囲むように構成されていることが好ましい。
【００４２】
照明器具１Ｘが上述のように構成されれば、導光板５から出射する光を反射部材４の対向面（下面）の全体でほぼ均等に反射させるので、発光面の均斉度の向上を図ることができる。
【００４３】
さらに、照明器具１Ｘにおいて、底板２０が矩形板状に形成されていることが好ましい。
【００４４】
照明器具１Ｘが上述のように構成されれば、複数の照明器具１Ｘを隙間無く並べて施工することができる。
【００４５】
また、照明器具１Ｘにおいて、１つ又は複数の導光板５は、１つ又は複数の側板２１の内側面とそれぞれ接するように配置されていることが好ましい。
【００４６】
照明器具１Ｘが上述のように構成されれば、導光板５内を導光される光が、側板２１の内側面と導光板５との隙間に進行することを抑えることができる。
【００４７】
さらに、照明器具１Ｘにおいて、１つ又は複数の側板２１のそれぞれの内側面は、光を反射する反射面であることが好ましい。
【００４８】
照明器具１Ｘが上述のように構成されれば、導光板５内を導光される光が、側板２１の内側面と導光板５との隙間に進行することを更に抑えることができる。
【００４９】
さらに、照明器具１Ｘにおいて、反射部材４の対向面（下面）の少なくとも一部が立体形状に形成されていることが好ましい。
【００５０】
照明器具１Ｘが上述のように構成されれば、反射部材４の立体形状に応じて配光特性の設計の自由度を高めることができる。
【００５１】
また、照明器具１Ｘは、合成樹脂材料によって長尺の矩形板状に形成された導光板５と、導光板５の第１端部（上端部）を導光板５の厚み方向から挟んで支持する一対の支持部材（第１支持部材３１及び第２支持部材３２）とを備えることが好ましい。また、照明器具１Ｙは、第１支持部材３１及び第２支持部材３２のそれぞれを導光板５と連結する複数の連結具（固定ピン３６）を備えることが好ましい。複数の固定ピン３６は、導光板５を厚み方向に貫通する複数の孔（挿通孔５０）にそれぞれ挿通されることが好ましい。また、複数の固定ピン３６は、第１支持部材３１及び第２支持部材３２のそれぞれを厚み方向に貫通する複数の挿通孔（第１ピン挿通孔３１５及び第２ピン挿通孔３２５）にそれぞれ挿通されることが好ましい。さらに、複数の固定ピン３６は、複数の第１ピン挿通孔３１５及び第２ピン挿通孔３２５と、複数の第１ピン挿通孔３１５及び第２ピン挿通孔３２５とのそれぞれに対して抜け止めされることが好ましい。複数の第１ピン挿通孔３１５及び第２ピン挿通孔３２５のうち、第１支持部材３１及び第２支持部材３２の長手方向の両端に近い場所に配置されている少なくとも２つの第１ピン挿通孔３１５及び第２ピン挿通孔３２５は、以下のように構成されることが好ましい。すなわち、これら２つの第１ピン挿通孔３１５及び第２ピン挿通孔３２５は、長軸方向が第１支持部材３１及び第２支持部材３２の長手方向と平行する長円形状に形成されていることが好ましい。
【００５２】
照明器具１Ｘが上述のように構成されれば、熱膨張によって導光板５が長手方向に沿って伸縮する際、固定ピン３６を介して第１支持部材３１及び第２支持部材３２から受ける応力の低減を図ることができる。
【００５３】
（実施形態２）
本実施形態に係る照明器具１Ｙは、図８に示すように、器具本体２及び反射部材４の形状が実施形態１に係る照明器具１Ｘと相違し、その他の構成については実施形態１に係る照明器具１Ｘとほぼ共通している。したがって、本実施形態に係る照明器具１Ｙの構成のうち、実施形態１に係る照明器具１Ｘの構成と共通する構成については、多少の形状や大きさ及び個数の違いがあっても機能的に共通している構成要素には同一の符号を付して、適宜図示並びに説明を省略する。ただし、以下の説明では、特に断りのない限り、図８において、照明器具１Ｙの上下、左右及び前後の各方向を規定する。
【００５４】
本実施形態に係る照明器具１Ｙ（以下、照明器具１Ｙと略す）は、図８、図９Ａ〜図９Ｃ及び図１０に示すように、器具本体２と、２つの光源ユニット３と、反射部材４とを備えている。
【００５５】
器具本体２は、底板２０と、一対の第１側板２１Ａと、一対の第２側板２１Ｂと、一対の補強板２２とを備えることが好ましい。底板２０は、長手方向を左右方向と平行させた長尺の矩形板状に形成されている。一対の第１側板２１Ａはそれぞれ、長手方向を左右方向と平行させた長尺の矩形板状に形成され、底板２０の長手方向に沿った両端（前端及び後端）から下向きに突出している。一対の第２側板２１Ｂはそれぞれ、正方形に近い矩形板状に形成され、底板２０の短手方向に沿った両端（左端及び右端）から下向きに突出している。一対の補強板２２は、主片２２１と、一対の側片２２２と、一対の補強片２２３とを有している。主片２２１は、矩形板状に形成されている（図９Ｄ参照）。一対の側片２２２はそれぞれ、概ね矩形板状であって、上側の２つの角がＣ面取りされている（図９Ｂ参照）。なお、一対の側片２２２はそれぞれ、主片２２１の前端及び後端から下向きに突出するように主片２２１と一体に形成されることが好ましい。一対の補強片２２３はそれぞれ、概ね矩形板状であって、上側の２つの角がＣ面取りされている（図９Ｃ参照）。なお、一対の補強片３２３はそれぞれ、主片２２１の左端及び右端から上向きに突出するように主片２２１と一体に形成されることが好ましい。一対の補強板２２はそれぞれ、底板２０の上面における長手方向（左右方向）の両端近くに主片２２１がねじ止めされる（図８及び図９Ｄ参照）。
【００５６】
２つの光源ユニット３はそれぞれ、実施形態１に係る照明器具１Ｘの光源ユニット３と同一の構成を有することが好ましい。これら２つの光源ユニット３はそれぞれ、一対の第１側板２１Ａのそれぞれの内側面に導光板５の第２表面が接するようにして器具本体２内に収容される。また、２つの光源ユニット３はそれぞれ、第１支持部材３１が器具本体２の底板２０にねじ止めされる（図１０参照）。
【００５７】
反射部材４は、反射板４０と、一対の第１反射側板４１Ａと、一対の第２反射側板４１Ｂと、引掛具と、取付ばね４３とを備えることが好ましい。反射板４０は、長手方向を左右方向と平行させた長尺の矩形板状に形成されている。一対の第１反射側板４１Ａはそれぞれ、長手方向を左右方向と平行させた長尺の矩形板状に形成され、反射板４０の長手方向に沿った両端（前端及び後端）から上向きに突出している。一対の第２反射側板４１Ｂはそれぞれ、長手方向を前後方向と平行させた長尺の矩形板状に形成され、反射板４０の短手方向に沿った両端（左端及び右端）から上向きに突出している。なお、電源ユニット、第１端子台１０及び第２端子台は、器具本体２の底板２０の下面に取り付けられ、反射部材４と底板２０の間に形成される空間に収容される（図１０参照）。
【００５８】
ねじりコイルばねからなる取付ばね４３のコイル部４３０が、反射板４０の上面における長手方向の中央近くに取り付けられる（図９Ｄ及び図１０参照）。また、引掛具が反射板４０の上面における長手方向の端に取り付けられる。
【００５９】
照明器具１Ｙは、実施形態１に係る照明器具１Ｘと同じく天井仕上げ材の埋込孔に埋め込まれた状態で施工される。そして、照明器具１Ｙは、電源ユニットから給電させることによって２つの光源ユニット３をそれぞれ点灯する。２つの光源ユニット３（の複数個のＬＥＤ３００）から放射される光は、導光板５の入射面（上面）から導光板５内に入射し、導光板５内を導光されながら導光板５の内側面及び下面から出射する。このとき、導光板５の第１表面から出射する光は、導光板５の第１表面に形成されている細かな凹凸によって拡散される。導光板５の第１表面から出射され、かつ、拡散された光の一部は、器具本体２内に向かって進行する。そして、器具本体２内に向かって進行した光は、器具本体２内に配置されている反射部材４の反射板４０（の下面）で反射され、反射板４０の下方に照射される。さらに、器具本体２内に向かって進行した光の一部並びに反射板４０で反射された光の一部は、一対の第２側板２１Ｂ（の内側面）で反射されて下方に照射される。
【００６０】
上述のように、照明器具１Ｙは、実施形態１に係る照明器具１Ｘと同様に、反射部材４の対向面（下面）が発光面となるから、発光面の大きさ及び形状（反射部材４の大きさ及び形状）の設計の自由度を高めることができる。
【００６１】
また、照明器具１Ｙにおいて、底板２０が長尺の矩形板状に形成されることが好ましい。また、反射部材４が長尺の矩形板状に形成されることが好ましい。複数の側板（第１側板２１Ａ及び第２側板２１Ｂ）がそれぞれ底板２０の短手方向の両端に配置されていることが好ましい。複数の導光板５がそれぞれ底板２０の短手方向の両端に配置されていることが好ましい。
【００６２】
照明器具１Ｙが上述のように構成されれば、長尺矩形状の発光面を有する照明器具が実現できる。
【符号の説明】
【００６３】
１Ｘ、１Ｙ  照明器具
２  器具本体
４  反射部材
５  導光板
２０  底板
２１  側板
２１Ａ  第１側板（側板）
２１Ｂ  第２側板（側板）
３１  第１支持部材（支持部材）
３２  第２支持部材（支持部材）
３６  固定ピン（連結具）
３００  ＬＥＤ（光源）
３１５  第１ピン挿通孔（孔）
３２５  第２ピン挿通孔（孔）
【図１】
0006692064.tif 000002
【図２】
0006692064.tif 000003
【図３】
0006692064.tif 000004
【図４】
0006692064.tif 000005
【図５】
0006692064.tif 000006
【図６】
0006692064.tif 000007
【図７】
0006692064.tif 000008
【図８】
0006692064.tif 000009
【図９】
0006692064.tif 000010
【図１０】
0006692064.tif 000011